(57)【要約】【課題】腕章のごとく薄く小型、軽量且つ無音又は低騒音な、耐久性及び耐ノイズ性に優れた血圧測定装置を実現する。【解決手段】測定部位を圧迫するカフ２が測定部位を圧迫する要素として、電圧変化によって伸縮する電気活性ポリマ３１を有する。カフ２は、５乃至１０単位の電気活性ポリマユニット３１の積層体からなる複数のポリマブロック２３が互いに隣接してマトリックス状に配置して構成される。電気活性ポリマユニット３１は、電気活性ポリマ層と、当該電気活性ポリマ層を挟んで両面に設けられた電極からなる。【選択図】      図１
2007125246.tif 000002
【特許請求の範囲】
【請求項１】
測定部位を圧迫するカフを有する血圧測定装置であって、
前記カフは、前記測定部位を圧迫する要素として、電圧変化によって伸縮する電気活性ポリマを有することを特徴とする血圧測定装置。
【請求項２】
前記カフは、５乃至１０単位の電気活性ポリマユニットの積層体からなる複数のポリマブロックが互いに隣接してマトリックス状に配置して構成されることを特徴とする請求項１に記載の血圧測定装置。
【請求項３】
前記電気活性ポリマユニットは、電気活性ポリマ層と、当該電気活性ポリマ層を挟んで両面に設けられた電極からなることを特徴とする請求項２に記載の血圧測定装置。
【請求項４】
前記電気活性ポリマの伸縮による変形を電気信号に変換する圧電素子と、
前記圧電素子から出力される電気信号から前記カフの圧力信号及び血管の脈波信号を検出する圧力検出回路と、
前記電気活性ポリマに電圧を印加する駆動回路と、
前記圧力信号に基づいて前記電気活性ポリマに印加する電圧を制御すると共に、前記圧力信号及び脈波信号から血圧値を算出する制御回路と、を備えることを特徴とする請求項１乃至３のいずれか１項に記載の血圧測定装置。
【請求項５】
前記圧力検出回路は、前記圧電素子から出力される電気信号を前記圧力信号と前記脈波信号とに分離するフィルタ回路を備えることを特徴とする請求項４に記載の血圧測定装置。
【請求項６】
前記制御回路は、前記駆動回路を介して直流電圧信号を駆動信号として前記電気活性ポリマに対して印加することを特徴とする請求項４に記載の血圧測定装置。
【請求項７】
前記制御回路は、前記駆動回路を介して直流電圧信号に交流電圧信号を重畳した駆動信号を前記電気活性ポリマに対して印加することを特徴とする請求項４に記載の血圧測定装置。
【請求項８】
前記カフは、前記測定部位を圧迫する圧迫用カフと、前記圧迫用カフより小さく当該測定部位から脈波振動を検出する測定用カフとに分離して構成されることを特徴とする請求項１乃至７のいずれか１項に記載の血圧測定装置。
【請求項９】
表示部、操作部及び前記制御回路を有する血圧計本体と、前記カフとが一体的に構成されることを特徴とする請求項４乃至８のいずれか１項に記載の血圧測定装置。
【請求項１０】
前記カフは、前記電気活性ポリマの伸展により直接的に測定部位を加圧することを特徴とする請求項１乃至９のいずれか１項に記載の血圧測定装置。
【請求項１１】
前記カフは、前記電気活性ポリマの伸展により変形する流体層を介して測定部位を加圧することを特徴とする請求項１乃至９のいずれか１項に記載の血圧測定装置。
【請求項１２】
血圧測定装置に用いられ、測定部位を圧迫するカフであって、
電圧変化によって伸縮する電気活性ポリマを構成要素として有することを特徴とするカフ。
【発明の詳細な説明】
【技術分野】
【０００１】
本発明は、上腕、手首及び下肢等に装着して、単回若しくは間欠的に連続して血圧測定を行う血圧測定装置やカフに関するものである。
【背景技術】
【０００２】
従来の家庭用又は病院用の血圧計は、測定部位を阻血するために測定部位に巻回したカフと呼ばれる天然ゴムやポリウレタン等からなる空気袋にエアを導入して拡張させる必要があり、このためにポンプやバルブ等からなるエア供給機構が必須であった。このようなエアを用いて加圧する血圧計では、装置の小型化や駆動時の騒音発生、空気袋、エア配管やポンプ等の劣化に代表される耐久性が課題であった。
【０００３】
特に、患者が常時（２４時間）装着し単回若しくは間欠的に連続して血圧測定を行う２４時間血圧計では、小型化や騒音の問題は顕著である。すなわち、患者はカフの他にポンプ等の機構部を有する装置を携帯しなければならず、行動の制限や測定時の騒音により著しくＱＯＬを低下させている。また、家庭用血圧計や病院用血圧計において夜間や任意の場所での血圧測定を容易に行いたいというニーズもあり、装置の小型化と低騒音化が望まれている。
【０００４】
なお、特許文献１には、表示部、操作部、回路基板、及び電池等が搭載される本体部と測定部位を加圧するカフとを一体的に構成したカフ一体型血圧計が記載されている。
【特許文献１】特開２０００−０８３９１２号公報
【発明の開示】
【発明が解決しようとする課題】
【０００５】
本発明は、上記装置の小型化や騒音の問題に着目し、電圧変化により伸縮する電気活性ポリマを用いてカフを構成することで、腕章のごとく薄く小型、軽量且つ無音又は低騒音な、耐久性及び耐ノイズ性に優れた血圧測定装置やカフを実現することを目的としている。
【課題を解決するための手段】
【０００６】
上述した目的を達成するために、本発明は、測定部位を圧迫するカフを有する血圧測定装置であって、前記カフは、前記測定部位を圧迫する要素として、電圧変化によって伸縮する電気活性ポリマを有する。
【０００７】
また、本発明は、血圧測定装置に用いられ、測定部位を圧迫するカフであって、電圧変化によって伸縮する電気活性ポリマを構成要素として有する。
【０００８】
また、上記構成において、前記カフは、５乃至１０単位の電気活性ポリマユニットの積層体からなる複数のポリマブロックが互いに隣接してマトリックス状に配置して構成される。
【０００９】
また、上記構成において、前記電気活性ポリマユニットは、電気活性ポリマ層と、当該電気活性ポリマ層を挟んで両面に設けられた電極からなる。
【００１０】
また、上記構成において、前記電気活性ポリマの伸縮による変形を電気信号に変換する圧電素子と、前記圧電素子から出力される電気信号から前記カフの圧力信号及び血管の脈波信号を検出する圧力検出回路と、前記電気活性ポリマに電圧を印加する駆動回路と、前記圧力信号に基づいて前記電気活性ポリマに印加する電圧を制御すると共に、前記圧力信号及び脈波信号から血圧値を算出する制御回路と、を備える。
【００１１】
また、上記構成において、前記圧力検出回路は、前記圧電素子から出力される電気信号を前記圧力信号と前記脈波信号とに分離するフィルタ回路を備える。
【００１２】
また、上記構成において、前記制御回路は、前記駆動回路を介して直流電圧信号を駆動信号として前記電気活性ポリマに対して印加する。
【００１３】
また、上記構成において、前記制御回路は、前記駆動回路を介して直流電圧信号に交流電圧信号を重畳した駆動信号を前記電気活性ポリマに対して印加する。
【００１４】
また、上記構成において、前記カフは、前記測定部位を圧迫する圧迫用カフと、前記圧迫用カフより小さく当該測定部位から脈波振動を検出する測定用カフとに分離して構成される。
【００１５】
また、上記構成において、表示部、操作部及び前記制御回路を有する血圧計本体と、前記カフとが一体的に構成される。
【００１６】
また、上記構成において、前記カフは、前記電気活性ポリマの伸展により直接的に測定部位を加圧する。
【００１７】
また、上記構成において、前記カフは、前記電気活性ポリマの伸展により変形する流体層を介して測定部位を加圧する。
【発明の効果】
【００１８】
以上説明したように、本発明によれば、従来のようにカフを空気袋で構成しないので、ポンプ類を廃止でき、腕章のごとく薄く小型、軽量且つ無音又は低騒音な、耐久性及び耐ノイズ性に優れた血圧測定装置やカフを実現できる。
【発明を実施するための最良の形態】
【００１９】
以下に、本発明の実施の形態について、添付図面を参照して詳細に説明する。
尚、以下に説明する実施の形態は、本発明の実現手段としての一例であり、本発明は、その趣旨を逸脱しない範囲で下記実施形態を修正又は変形したものに適用可能である。
【００２０】
また、本発明は、本実施形態の血圧計の機能を実現するソフトウェアのプログラムコードを記録媒体に記録させ、ＣＰＵが当該記録媒体に格納されたプログラムコードを読み出して実行することによっても達成される。
【００２１】
［全体構成］
図１は、本発明の血圧測定装置を適用した一実施形態の電子血圧計の外観斜視図である。
【００２２】
図１に示すように、本実施形態の電子血圧計は、血圧計本体１と阻血用カフ２とが一体的に構成されたカフ一体型血圧計である。
【００２３】
カフ２は血圧計本体１の裏面に接続されている。血圧計本体１の上面には表示部３、開始／停止スイッチ等の操作部４、及びバッテリー蓋５が設けられている。表示部３はＬＣＤパネル等から構成され、測定結果（最高血圧、最低血圧、脈拍、過去何回分かの測定値のトレンドグラフ）や動作状態（加圧及び減圧）を表示する。
【００２４】
カフ２は、血圧計本体１が連結された第１カフ片２Ａと、この第１カフ片２Ａの一端部に対して蝶番等の支持部２Ｃを介して回動可能に軸支された第２カフ片２Ｂと、を備える。
【００２５】
第１カフ２Ａの他端部（支持部２Ｃとは反対側）には第２カフ２Ｂの他端部（支持部２Ｃとは反対側）から延びる軟質のファスナー布部６を挿通して折り返すためのリング８が回動自在に取り付けられている。そして、ファスナー布部６のリング８に挿通する側の外面には無数の面ファスナー７が設けられ、リング８を挿通して折り返しファスナー布部６又は第２カフ片２Ｂの外面に取り付けられた無数のループ体が設けられたファスナーフックに対して着脱可能に形成されている。
【００２６】
第１カフ片２Ａ及び第２カフ片２Ｂはファスナー布部６をリング８に通して固定した状態でユーザの上腕のまわりに巻回されるようにリング状になる。
【００２７】
次に、カフ２の詳細な構成について説明する。
【００２８】
図２（ａ）はカフ２の構成を示す側断面図であり、図２（ｂ）はカフ２を展開した図である。図３は非加圧時（ａ）及び加圧時（ｂ）におけるカフ２の詳細な構造を示す側断面図である。図４は非通電時（ａ）及び通電時（ｂ）における電気活性ポリマユニットの構造を示す外観斜視図である。
【００２９】
図２乃至図４に示すように、第１及び第２カフ片２Ａ，２Ｂは予めユーザの上腕、手首及び下肢等に装着可能に湾曲したポリエチレン製樹脂材料からなる外郭ケース部２１と、測定部位の表面形状に略合致し得る軟質なポリエステル製布材からなる内張部２２とで外形を構成し、これらの間に複数の電気活性ポリマユニット（以下、ポリマユニット）３１を積層して構成される複数のポリマブロック２３がマトリックス状に配置されている。
【００３０】
各ポリマブロック２３は、その一面（積層された側面）が内張部２２に対面し、他面には圧電素子２４が当接している。圧電素子２４はピエゾ効果を有する弾性材料からなり、各ポリマブロック２３の伸縮による変形を電気信号に変換する電気−機械（圧力）変換素子として作用する。圧電素子２４は外郭ケース部２１の内面に設けられたポリエステル製の担持体２５に保持されており、担持体２５には圧電素子２４におけるポリマブロック２３に当接しない反対側の面に深さ２ｍｍ程度の凹状の空隙２６が形成される。このように、圧電素子２４の反対側の面に空隙２６を形成することで、ポリマブロック２３の変形に応じた圧電素子２４の変形を許容し、圧電素子２４の変形による電位の変化が電気信号として検出可能となっている。
【００３１】
１つのポリマブロック２３は、５〜１０単位のポリマユニット３１が直列にカフ２の短辺方向（幅方向）に積層されて構成されている。
【００３２】
ポリマユニット３１は、図４に示すように、電気活性ポリマとその両面に設けられた±電極を有し全体が方形状であり、１０〜５０ｍｍ角、厚さ１ｍｍ程度の外形を有する。ポリマブロック２３は１〜５ｍｍの間隔で隣接して配置されている。
【００３３】
また、上記外郭ケース部２１と担持体２５の間には、各ポリマブロック２３の電極に電気的に接続される導電部と、圧電素子２４に電気的に接続される導電部が形成された回路基板２７が設けられている。回路基板２７は各ポリマブロック２３や圧電素子２４の変形に伴って変形可能な軟質の材料で構成されている。
【００３４】
［電気活性ポリマの概要］
電気活性ポリマは、電気エネルギによって作動されると変形を生じる。本実施形態において、電気活性ポリマは、２つの電極間の絶縁誘電体として作用し且つ２つの電極間に電圧差を加えると変形するようなポリマが含まれる。本実施形態の電気活性ポリマは、少なくとも約２００％の線ひずみと、少なくとも約３００％の面ひずみと、を加えることが可能である。
【００３５】
図４（ａ）に示すように、ポリマユニット３１は、電気エネルギと機械エネルギとの間の変換を行うポリマ層３２を備える。ポリマ層３２の上面および下面には、トップ電極３３およびボトム電極３４がそれぞれ取り付けられており、ポリマ層３２の一部分に電圧差を発生させる。ポリマ層３２は、トップ電極３３およびボトム電極３４によって生成される電場の変化によって変形する。
【００３６】
図４（ｂ）は、電場の変化に応じて変形したポリマユニット３１の斜視図である。一般に、変形とは、あらゆる変位、膨張、収縮、捩れ、線もしくは面ひずみ、またはポリマ層３２の一部分に生じる他のあらゆる変形を指す。電極３３，３４によって生じた電圧差に対応する電場の変化は、ポリマ層３２内に機械的圧力を生じる。この場合は、電極３３，３４によって生じた異なる電荷が互いに引き合うことによって、電極３３，３４間で圧縮力を生じ、ポリマ層３２上で２次元方向Ｘ，Ｙへの膨張力を生じるので、ポリマ層３２は、電極３３，３４間で圧縮され、２次元方向Ｘ，Ｙに伸張される。
【００３７】
電気活性ポリマとして使用するのに適した材料は、静電力に応じて変形するか、またはその変形によって電場が変化するような、実質的に絶縁体である任意のポリマまたはゴムを含んで良い。このような適切な材料の１つとして、任意の誘電エラストマポリマ、シリコーンラバー、フルオロエラストマ等が挙げられる。
【００３８】
本実施形態における電気活性ポリマに適した作動電圧は、ポリマの寸法（例えば電極間の厚さ）はもちろん、その電気活性ポリマの材料および特性（例えば誘電率）にも依存して変化し得る。なお、電気活性ポリマについては、特表開２００３−５０６８５８号公報に詳述されている。
【００３９】
［第１の実施形態の動作ブロック］
図５は、本発明に係る第１の実施形態の血圧計のブロック図である。
【００４０】
図５に示すように、血圧計本体１には、測定結果等を表示する表示部３、ユーザが血圧計本体１に対して操作指示を行う操作部４、血圧測定動作プログラムや測定結果を記憶するＥＥＰＲＯＭ等の不揮発性のメモリ５２、血圧計全体を統括して制御するＣＰＵ（演算処理部）５１、各ポリマブロック２３に印加する電圧を制御する電圧制御部５３、ＣＰＵ５１からのアナログ信号をデジタル信号に変換して電圧制御部５３に出力するＤ／Ａ変換部５４、圧電素子２４からの出力信号を増幅する増幅器５５、増幅器５５により増幅された出力信号を圧力信号と脈波信号とに分離するフィルタ５６、フィルタ５６で分離されたアナログ信号をデジタル信号に変換してＣＰＵ５１に出力するＡ／Ｄ変換部５７からなる。
【００４１】
上記電圧制御部５３及びＤ／Ａ変換部５４はポリマブロック２３を駆動する駆動回路、増幅器５５、フィルタ５６及びＡ／Ｄ変換部５７はポリマブロック２３により加圧された測定部位から脈波を検出する圧力検出回路として機能する。
【００４２】
本実施形態の血圧測定には、周知の圧脈法（オシロメトリック法）による測定方式が適用される。また、上記圧電素子２４のほかに、カフ内部にマイクロフォンを内蔵してコロトコフ音を検出する測定方式を適用してもい。
【００４３】
ＣＰＵ５１は、メモリ５２に記憶された血圧測定動作プログラムの手順に従って、操作スイッチ類４からの操作信号を入力する。そして、ＣＰＵ５１は、上記駆動回路として機能する電圧制御部５３に対してポリマブロック２３ごとに駆動信号を出力する。また、ＣＰＵ５１は、上記圧力検出回路として機能する増幅器５５及びフィルタ５６から出力される圧力信号及び脈波信号から血圧値や脈拍値を算出し、これらの値をメモリ５２に格納すると共に、表示部３に出力する。
【００４４】
［血圧測定動作の説明］
図６は、本実施形態の血圧計による血圧測定動作を示すフローチャートである。
【００４５】
なお、以下の各ステップは、操作部４の開始スイッチがオンされたときに、ＣＰＵ５１がメモリ５２に記憶されたプログラムを実行することにより実現される。
【００４６】
図６において、測定動作開始後（Ｓ１１）、ＣＰＵ５１は駆動回路５３，５４に駆動信号を出力して各ポリマブロック２３に電圧を印加する（Ｓ１２）。次にカフ２が適正加圧値になるまで（３００ｍｍＨｇ程度にまで）電圧印加を続行する（Ｓ１３）。その後ＣＰＵ５１は駆動回路５３，５４に駆動信号を出力して各ポリマブロック２３に印加した電圧を降下させる（Ｓ１４）。すると、カフ２が拡張し測定部位を（８０〜１４０ｍｍＨｇ程度に）徐々に減圧していく（Ｓ１５）。次に圧力検出回路５５〜５７により脈波振動の検出を行う（Ｓ１６）。そして、上記加圧値及び脈波振動から最高血圧、最低血圧、脈拍数を算出する（Ｓ１７）。上記血圧測定が終了すると、カフ２の加圧を解除し、血圧値及び脈拍数を表示部３に表示する（Ｓ１８）。次に測定結果をメモリ５２に記録する（Ｓ１９）。なお、血圧測定は要時の単回測定で行っても良いし、血圧計を装着した状態で任意の時間間隔で連続的に行っても良い。
【００４７】
［第２の実施形態の動作ブロック］
図７は、本発明に係る第２の実施形態の血圧計のブロック図である。
【００４８】
第２の実施形態はポリマブロック２３ごとの電圧制御をＤＣ（直流）電圧信号で行う構成であり、第１の実施形態の圧力検出回路５５，５６に代えて、電圧検出部６１、フィルタ６２、及びＡ／Ｄ変換部６３からなる圧力検出回路と、電圧検出部６１、バンドパスフィルタ６４、増幅器６５、及びＡ／Ｄ変換部６６からなる脈波検出回路とを備えている。
【００４９】
上記フィルタ６２は、電圧検出部６１で検出された信号の周波数成分のうち０．１Ｈｚ以上の帯域をカットして圧力信号としてＡ／Ｄ変換部６３を通じてＣＰＵ５１に出力する。ＣＰＵ５１は、上記圧力信号を受けてカフ２の加圧値を算出する。
【００５０】
上記バンドパスフィルタ６４は、電圧検出部６１で検出された信号の周波数成分のうち０．５〜３Ｈｚ帯をパスして脈波信号としてＡ／Ｄ変換部６６を通じてＣＰＵ５１に出力する。ＣＰＵ５１は、上記脈波信号を受けて血圧値及び脈拍数を算出する。
【００５１】
ＤＣ電圧制御では、図７（ｂ）のように各ポリマブロック２３へ印加する電圧を略線形に増大してカフ２を所定の適正値まで加圧した後、略線形に電圧を降下させて減圧を行う。
【００５２】
本実施形態での血圧測定動作は、前述した図６のフローと同様である。
【００５３】
［第３の実施形態の動作ブロック］
図８は、本発明に係る第３の実施形態の血圧計のブロック図である。
【００５４】
第３の実施形態はポリマブロックごとの電圧制御をＤＣ（直流）電圧信号及びキャリアＡＣ（１ＫＨｚ）電圧信号で行う構成であり、電圧制御部５３は、各ポリマブロック２３に対してＤＣ＋キャリアＡＣ（１ＫＨｚ）からなる電圧を印加する。
【００５５】
また、第１の実施形態の圧力検出回路５５，５６に代えて、電圧検出部７１、バンドパスフィルタ７２、及びＡ／Ｄ変換部７３からなる圧力検出回路と、電圧検出部７１、バンドパスフィルタ７４、増幅器７５、及びＡ／Ｄ変換部７６からなる脈波検出回路とを備えている。
【００５６】
上記バンドパスフィルタ７２は、電圧検出部７１で検出された信号の周波数成分のうち１ＫＨｚ帯をパスしてキャリアＡＣ電圧信号を分離し、圧力信号としてＡ／Ｄ変換部７３を通じてＣＰＵ５１に出力する。ＣＰＵ５１は、上記圧力信号を受けてカフ２の加圧値を算出する。
【００５７】
上記バンドパスフィルタ７４は、電圧検出部７１で検出された信号の周波数成分のうち０．５〜３Ｈｚ帯をパスして脈波信号としてＡ／Ｄ変換部７６を通じてＣＰＵ５１に出力する。ＣＰＵ５１は、上記脈波信号を受けて血圧値及び脈拍数を算出する。
【００５８】
ＤＣ＋キャリアＡＣ電圧制御では、図８（ｂ）のように各ポリマブロック２３へ印加する電圧を略線形に増大してカフ２を所定の適正値まで加圧した後、略線形に電圧を降下させて減圧を行う。
【００５９】
本実施形態での血圧測定動作は、前述した図６のフローと同様である。
【００６０】
なお、本実施形態では、電気活性ポリマを伸縮させるため（カフ２を加減圧するため）のＤＣ電圧信号に、ＡＣ電圧信号（例えば、脈波成分とは異なり電気活性ポリマの伸縮に影響が出ないと考えられる１ＫＨｚ）を重畳させており、電気活性ポリマの伸縮による容量変化（Ｃ）は、バンドパスフィルタ７２をパスした１ＫＨｚのＡＣ電圧信号をモニタすることで検出される。
【００６１】
カフ２による加圧状態を考えた場合、電気活性ポリマを伸展させ測定部位を締め付けても、測定部位からの反力により電気活性ポリマは印加電圧とは比例した伸展を生じない。この伸展の様子は上記ＡＣ電圧信号を用いて容量変化をモニタすることで検出することができる。図９において、印加電圧に比例した電気活性ポリマの伸展による容量変化から外れた挙動を示す部分が反力による変化であり、予め電気活性ポリマの容量変化と圧力との関係をキャリブレーションしておくことで、容量変化からカフ２の加圧値がモニタできるようになる。
【００６２】
［他の実施形態］
図１０は、他の実施形態の血圧計の構成を示す側断面図であり、（ｂ）はカフを展開した図である。図１１は非加圧時（ａ）及び加圧時（ｂ）におけるカフの詳細な構造を示す側断面図である。
【００６３】
図１０及び図１１に示すように、本実施形態のカフ一体型血圧計は、血管を圧迫するための圧迫用カフ１２１と、脈波振動を検出するための測定用カフ１２２とを分離して構成した、いわゆるダブルカフである。
【００６４】
圧迫用カフ１２１は測定部位に十分な阻血圧力を加えるのに十分な大きさを有し、測定用カフ１２２は脈波振動の拡散による波高の減少を少なくするために出来るだけ小さいものが好ましい。
【００６５】
圧迫用カフ１２１は、図１１（ａ）に示すように、外郭ケース部２１の内面に設けられた回路基板１２４上に担持体１２５を形成し、この担持体１２５にマトリックス状に複数の矩形状又は環状の孔からなる空隙１２５ａを形成し、これら空隙１２５ａ内部（又は空隙１２５ａを覆うように）にポリマブロック２３を配置して構成されている。そして、図１１（ｂ）に示す加圧時には、空隙１２５ａ内部の各ポリマブロック２３はその伸展が空隙１２５ａの側壁で規制されるため、空隙１２５ａ内部で座屈して空隙１２５ａの開口部から突出するように変形しダイヤフラムとして作用する。更に、このダイヤフラムとなるポリマブロック２３と内張部２２との間に流体を封入した流体層１２６が形成されており、変形したダイヤフラムが流体層１２６を介して測定部位を加圧するように構成されている。なお、流体は空気でもよいが、水、シリコンオイル、流動性ゲル等が好ましい。
【００６６】
測定用カフ１２２も加圧用カフ１２１と同様に、電気活性ポリマと、流体層１２７とを備え、圧迫用カフ１２１の内面の一部に設けられている。
【００６７】
上記構成において、圧迫用カフ１２１の流体層１２６には圧力検出センサ、測定用カフ１２２の袋体１２７内部には脈波検出センサが夫々内蔵されており、上述した動作ブロックにより各センサの検出信号を用いて加圧値及び血圧値が算出される。なお、ダブルカフを用いた血圧測定については、特開２０００−７９１０１号公報に詳述されている。
【００６８】
［効果の説明］
上記各実施形態によれば、従来のようにカフを空気袋で構成しないので、ポンプ類を廃止でき、腕章のごとく薄く小型、軽量且つ無音又は低騒音な、耐久性及び耐ノイズ性に優れた血圧計を実現できる。
【００６９】
この結果、患者が常時（２４時間）装着しても行動の制限や測定時の騒音によるＱＯＬを低下を改善し、また、家庭やや病院内において夜間や任意の場所での血圧測定を容易に行うことができる。
【００７０】
なお、本発明は本実施形態として例示したカフ一体型血圧計に限らず、血圧計本体とカフとが分離したものやカフをハウジングに内蔵し上腕を挿入するだけで測定可能としたもの、その他の測定部位を加圧により阻血するカフを有する血圧計に適用可能である。
【００７１】
また、測定部位にあたる位置のポリマブロック２３の密度を少なくし、各ブロックごとに検出される圧力信号及び脈波信号の強度等を比較することにより、最適な測定部位を見つけることができる。
【図面の簡単な説明】
【００７２】
【図１】本発明に係る実施形態の血圧計の外観斜視図である。
【図２】カフの構成を示す側断面図（ａ）、カフを支持部で展開した図（ｂ）である。
【図３】非加圧時（ａ）及び加圧時（ｂ）におけるカフの詳細な構造を示す側断面図である。
【図４】非通電時（ａ）及び通電時（ｂ）における電気活性ポリマユニットの構造を示す外観斜視図である。
【図５】本発明に係る第１の実施形態の血圧計のブロック図である。
【図６】第１の実施形態の血圧計による血圧測定動作を示すフローチャートである。
【図７】本発明に係る第２の実施形態の血圧計のブロック図（ａ）、ＤＣ電圧制御による電圧変化（ｂ）を示す図である。
【図８】本発明に係る第３の実施形態の血圧計のブロック図、ＤＣ及びキャリアＡＣ電圧制御による電圧変化（ｂ）を示す図である。
【図９】印加電圧（Ｖ）と電気活性ポリマの容量変化（Ｃ）との関係を示す図である。
【図１０】本発明に係る他の実施形態のカフの構成を示す側断面図（ａ）、カフを展開した図（ｂ）である。
【図１１】非加圧時（ａ）及び加圧時（ｂ）におけるカフの詳細な構造を示す側断面図である。
【符号の説明】
【００７３】
１  血圧計本体
２  カフ
２Ａ  第１カフ片
２Ｂ  第２カフ片
２Ｃ  支持部
３  表示部
４  操作部
５  バッテリー蓋
６  ファスナー布部
７  面ファスナー
８  リング
２１  外郭ケース部
２２  内張部
２３  ポリマブロック
２４  圧電素子
２５  担持体
２６  空隙
２７  回路基板
３１  ポリマユニット
３２  ポリマ層
３３，３４  電極
５１  ＣＰＵ
５２  メモリ
５３  電圧制御部
５４  Ｄ／Ａ変換部
５５  増幅器
５６  フィルタ
５７  Ａ／Ｄ変換部
６１  電圧検出部
６２  フィルタ
６３  Ａ／Ｄ変換部
６４  バンドパスフィルタ
６５  増幅器
６６  Ａ／Ｄ変換部
７１  電圧検出部
７２  バンドパスフィルタ
７３  Ａ／Ｄ変換部
７４  バンドパスフィルタ
７５  増幅器
７６  Ａ／Ｄ変換部
１２１  圧迫用カフ
１２２  測定用カフ
１２４  回路基板
１２５  担持体
１２６，１２７  流体層
【図１】
2007125246.tif 000003
【図２】
2007125246.tif 000004
【図３】
2007125246.tif 000005
【図４】
2007125246.tif 000006
【図５】
2007125246.tif 000007
【図６】
2007125246.tif 000008
【図７】
2007125246.tif 000009
【図８】
2007125246.tif 000010
【図９】
2007125246.tif 000011
【図１０】
2007125246.tif 000012
【図１１】
2007125246.tif 000013